(57)【特許請求の範囲】
【請求項１】
無指向性であり、少なくとも筐体の一角及びその対角の２箇所に配置されたマイクで構成される録音部と、
自装置の傾きを検出する検出部と、
前記検出部により検出された傾きに基づいて、前記２箇所のマイク各々に左右いずれかのチャンネルを設定し、前記２箇所のマイク各々の録音レベルを均一に調整する制御部と、
を備えることを特徴とするポータブル録音装置。
【請求項２】
前記制御部は、
前記２箇所のマイクのうち、前記検出部により検出された傾きを参照して下方向に位置するマイクの録音レベルを上げ、又は他方のマイクの録音レベルを下げることにより前記２箇所のマイク各々の録音レベルを均一に調整することを特徴とする請求項１に記載のポータブル録音装置。
【請求項３】
無指向性であり、少なくとも筐体の一角及びその対角の２箇所に配置されたマイクで構成される録音部を備えるポータブル録音装置における録音自動調整方法であって、
検出手段が、自装置の傾きを検出する工程と、
制御手段が、前記検出手段により検出された傾きに基づいて、前記２箇所のマイク各々に左右いずれかのチャンネルを設定し、前記２箇所のマイク各々の録音レベルを均一に調整する工程と、
を含む録音自動調整方法。
【請求項４】
少なくとも筐体の一角及びその対角の２箇所に配置された無指向性のマイクを有するポータブル録音装置が備えるコンピュータを、
自装置の傾きを検出する検出手段、
前記検出手段により検出された傾きに基づいて、前記２箇所のマイク各々に左右いずれかのチャンネルを設定し、前記２箇所のマイク各々の録音レベルを均一に調整する制御手段、
として機能させるためのプログラム。
【発明の詳細な説明】
【技術分野】
【０００１】
本発明は、ポータブル録音装置、録音自動調整方法、及びプログラムに関する。
【背景技術】
【０００２】
近年、ポータブル型の録音装置が普及しているが、録音専用の装置でなくとも、例えば携帯電話やＰＤＡ、デジタルカメラ等のポータブル装置にデジタル録音機能を付加することも可能である。
【０００３】
上記したポータブル録音装置が音声を抽出して録音するためには、音声を電気信号に変換する機器であるマイクが必要である。録音装置は、通常Ｌｃｈ及びＲｃｈ（Ｌ／Ｒ）のステレオ再生用に録音処理を行うため、マイクはＬｃｈ用及びＲｃｈ用に独立して２つ配置するのが一般的である。
【０００４】
例えば、特許文献１には、ポータブル録音装置において、筐体の一辺にＬｃｈ用マイク及びＲｃｈ用マイクを配置した技術が開示されている。この従来型のポータブル録音装置について、図５を用いて説明する。
【０００５】
図５に示すように、従来技術に係るポータブル録音装置２００は、操作部２を設けた一辺の対辺にＬｃｈ用のマイクＡ７１及びＲｃｈ用のマイクＢ７２を備えて構成されている。なお、図５（ａ）は、ポータブル録音装置２００を通常の操作向きに配置した様子について示した図であり、図５（ｂ）は、ポータブル録音装置２００が９０°右に傾いた様子について示した図であり、図５（ｃ）は、ポータブル録音装置２００が１８０°傾いた様子について示した図であり、図５（ｄ）はポータブル録音装置２００が２７０°右（９０°左）に傾いた様子について示した図である。
【０００６】
従来のポータブル録音装置では、図５（ａ）に示したように、録音対象である音源に対してマイクを配置した一片を向けることにより、ステレオ録音を可能としていた。
【先行技術文献】
【特許文献】
【０００７】
【特許文献１】特開２００８−１７２６７９号公報
【発明の概要】
【発明が解決しようとする課題】
【０００８】
一方、録音機能を付加することが可能なポータブル装置には、縦方向及び横方向のいずれの方向でも利用可能な装置が多数存在する。例えばデジタルカメラは撮影する対象（被写体）によって横方向での撮影に加えて縦方向での撮影を行うこともあり、静止画のみならず音声付きの動画や音声のみの録画機能を有するものもある。
さらに、ＰＤＡやポータブルメディアプレーヤにおいても、画面に表示するコンテンツによっては、縦方向に加えて横方向で利用されることもある。
【０００９】
このような場合、例えば図５（ａ）に示したように、各マイクを正位置（縦向き）で配置した場合であっても、図５（ｂ）や（ｄ）に示したように、装置を横向きに傾けた状態では、各マイクの配置が上下してしまい、Ｌ／Ｒの正しいステレオ感を得ることができない。また、図５（ｃ）に示したように、装置が逆さ向きの状態で録音作業を行うと、音源に対してＬ／Ｒが逆さになってしまい、やはり正しいステレオ感を得ることができなかった。
【００１０】
本発明は、装置の向きに関係なく適切なステレオ録音を行うことが可能なポータブル録音装置、録音自動調整方法、及びプログラムを提供することを目的とする。
【課題を解決するための手段】
【００１１】
請求項１に記載の発明は、上記目的を達成するためになされたものであり、ポータブル録音装置において、無指向性であり、少なくとも筐体の一角及びその対角の２箇所に配置されたマイクで構成される録音部と、自装置の傾きを検出する検出部と、前記検出部により検出された傾きに基づいて、前記２箇所のマイク各々に左右いずれかのチャンネルを設定し、前記２箇所のマイク各々の録音レベルを均一に調整する制御部と、を備えることを特徴とする。
【００１３】
請求項２に記載の発明は、請求項１に記載のポータブル録音装置において、前記制御部は、前記２箇所のマイクのうち、前記検出部により検出された傾きを参照して下方向に位置するマイクの録音レベルを上げ、又は他方のマイクの録音レベルを下げることにより前記２箇所のマイク各々の録音レベルを均一に調整することを特徴とする。
【００１４】
請求項３に記載の発明は、無指向性であり、少なくとも筐体の一角及びその対角の２箇所に配置されたマイクで構成される録音部を備えるポータブル録音装置における録音自動調整方法であって、検出手段が、自装置の傾きを検出する工程と、制御手段が、前記検出手段により検出された傾きに基づいて、前記２箇所のマイク各々に左右いずれかのチャンネルを設定し、前記２箇所のマイク各々の録音レベルを均一に調整する工程と、を含む録音自動調整方法である。
【００１５】
請求項４に記載の発明は、少なくとも筐体の一角及びその対角の２箇所に配置された無指向性のマイクを有するポータブル録音装置が備えるコンピュータを、自装置の傾きを検出する検出手段、前記検出手段により検出された傾きに基づいて、前記２箇所のマイク各々に左右いずれかのチャンネルを設定し、前記２箇所のマイク各々の録音レベルを均一に調整する制御手段、として機能させるためのプログラムである。
【発明の効果】
【００１６】
本発明によれば、装置の向きに関係なく適切なステレオ録音を行うことが可能なポータブル録音装置、録音自動調整方法、及びプログラムを提供することができる。
【図面の簡単な説明】
【００１７】
【図１】本実施形態に係るポータブルレコーダ１００の外観図である。
【図２】本実施形態に係るポータブルレコーダ１００の概略構成を示すブロック図である。
【図３】本実施形態に係るポータブルレコーダ１００内で行われるカウンタ設定処理の一例について示したフローチャートである。
【図４】各マイクにチャンネルを対応付けて設定する様子について示した図である。
【図５】従来技術に係るポータブル録音装置２００における録音作業の様子について示した図である。
【発明を実施するための形態】
【００１８】
以下、本発明の実施の形態を図面に基づいて説明する。なお、本実施形態では、本発明に係るポータブル録音装置をポータブルレコーダに適用した場合について例示する。
【００１９】
図１は、本実施形態に係るポータブルレコーダ１００の外観図である。
図１に示すように、ポータブルレコーダ１００は、表示部１と、操作部２と、マイクＡ７１と、マイクＢ７２と、を備えて構成される。
ポータブルレコーダ１００は、独立した左右一対（Ｌ／Ｒ）のステレオ用マイクであるマイクＡ７１及びマイクＢ７２を、通常のように一辺（一面）に並べるのではなく、装置の中心部を基準にして点対称に配置している（ただし、必ずしも完全な点対称である必要はない）。すなわち、マイクＡ７１及びマイクＢ７２は、筐体の一角及びその対角にそれぞれ１つずつ配置される。また、本実施形態で使用するマイク（マイクＡ７１、マイクＢ７２）は「無指向性」のマイクであり、音声を録音する際はその周辺の音声をなるべく均一に拾うようにする。
【００２０】
図２は、本実施形態に係るポータブルレコーダ１００の概略構成を示すブロック図である。
図２に示すように、ポータブルレコーダ１００は、表示部１と、操作部２と、記憶部３と、センサ４と、制御部５と、入力端子６と、マイクＡ７１と、マイクＢ７２と、ＡＤＣ８と、ＤＡＣ９と、出力端子１０と、を備えて構成される。
【００２１】
表示部１は、例えば、液晶や有機ＥＬ（Electro Luminescence）等のディスプレイを備え、制御部５から出力された表示データに基づいて、各種情報（例えば、楽曲のトラック名や歌詞等のテキストファイル、ジャケット写真等の画像ファイル等）を表示する。
操作部２は、ポータブルレコーダ１００を操作するための操作キー群（例えば方向指示キー、決定キー、再生キー、停止キー、録音キー等）を備える。操作部２は、ユーザにより操作キーが押下されると、操作キーに応じた操作信号を生成し、制御部５に出力する。
なお、表示部１のディスプレイ上に、ユーザによる操作（例えば手指やタッチペン等による押下）を検出する操作部２としての機能を有したタッチパネルを載置した構成としてもよい。
【００２２】
記憶部３は、例えば、半導体メモリ（例えば、ＮＡＮＤ型ＦｌａｓｈＲＯＭ）やＨＤＤで構成され、音声ファイル（例えばｍｐ３、ｗｍａ、ａａｃ、ｗａｖ等）、画像ファイル（ｊｐｇ等）、テキストファイル（ｔｘｔ等）等の各種コンテンツを記憶する。なお、音声ファイルは、音源となる音声データの他、音声ファイルの基本的な情報について示したタグ情報（コンテンツ情報）を有する。
記憶部３に記憶された音声ファイルは、制御部５で信号処理され、音声信号として出力端子１０に出力される。また、記憶部３に記憶された画像ファイルは、制御部５で信号処理され、表示データとして表示部１に出力される。
【００２３】
センサ４は、傾きセンサであり、例えば３軸の加速度を検出することにより、ポータブルレコーダ１００の傾きを検出する。例えば、ポータブルレコーダ１００を縦方向で用いたり、斜めや横方向で用いたりしたときに、その傾きを検出する。なお、検出される傾きは、ポータブルレコーダ１００の操作に伴い、所定時間以上ポータブルレコーダ１００が向いている方向であることが好ましい。センサ４は、取得した検出結果に基づいてポータブルレコーダ１００の傾きを示す情報を生成し、制御部５に出力する。
【００２４】
制御部５は、例えば、ＣＰＵ（Central Processing Unit）、ＲＡＭ（Random Access Memory）、ＲＯＭ（Read Only Memory）等を備えて構成され、ポータブルレコーダ１００の各部を制御する。
ＣＰＵは、ＲＯＭに格納された処理プログラム等を読み出して、ＲＡＭに展開して実行することにより、ポータブルレコーダ１００全体の制御を行う。
ＲＡＭは、ＣＰＵにより実行された処理プログラム等を、ＲＡＭ内のプログラム格納領域に展開するとともに、入力データや上記処理プログラムが実行される際に生じる処理結果等をデータ格納領域に格納する。
ＲＯＭは、例えば、半導体メモリで構成され、処理プログラムやデータ等が予め記憶されている。ＲＯＭには、例えば、装置の傾きに応じて各マイクに対するチャンネル設定や録音レベル調整を行う録音自動調整プログラム等が記憶されている。
【００２５】
入力端子６は、外部からの音声信号を入力するための端子であり、当該入力された音声信号をＡＤＣ８へと出力する。
マイクＡ７１及びマイクＢ７２は、前述したように独立した左右一対（Ｌ／Ｒ）のステレオ用マイクであり、「無指向性」のマイクである。マイクＡ７１及びマイクＢ７２は、ユーザの録音操作に伴う音声の入力を受け付けると、当該入力された音声を音声信号に変換してＡＤＣ８へと出力する。
ＡＤＣ８は、入力されたアナログの音声信号をデジタル信号に変換して制御部５へと出力するＡ／Ｄ変換回路である。
【００２６】
ＤＡＣ９は、制御部５から入力されるデジタル音声データをアナログの音声信号に変換して出力端子１０へと出力するＤ／Ａ変換回路である。
出力端子１０は、外部へと音声信号を出力するための端子であり、ＤＡＣ９から入力された音声信号を外部へと出力する。
【００２７】
外部Ｉ／Ｆ１１は、例えば、ＳＤカード、ＵＳＢメモリ等の記憶媒体を着脱可能に構成され、当該記憶媒体との間で定められた形式に従って、音声ファイル等の送受信を行う。
【００２８】
次に、ポータブルレコーダ１００の動作について説明する。
図３は、本実施形態に係るポータブルレコーダ１００内で行われる録音自動調整処理の一例について示したフローチャートである。この録音自動調整処理は、ユーザにより装置の電源がＯＮされたことを契機に、ＣＰＵがＲＯＭに格納されている録音自動調整プログラムを実行することにより実現される。
【００２９】
まず、図３に示すように、ユーザによりポータブルレコーダ１００が操作されたか否かを判定する（ステップＳ１）。具体的には、ユーザが当該ポータブルレコーダ１００を手で保持したり、回転させたり、机上に配置したりした際など、当該ポータブルレコーダ１００に対して例えば傾きを変更するような何らかのアクションがあったか否かをセンサ４により検出して判定する。ポータブルレコーダ１００が操作されたと判定した場合（ステップＳ１：ＹＥＳ）は、次のステップＳ２へと移行する。一方、ポータブルレコーダ１００が操作されていないと判定した場合（ステップＳ１：ＮＯ）は、特に処理を行わず、ユーザ操作を待機する状態となる。
【００３０】
ポータブルレコーダ１００の操作が検出される（ステップＳ１：ＹＥＳ）と、操作されたポータブルレコーダ１００の傾きを特定することが可能であるか否かを判定する（ステップＳ２）。傾きの特定は、センサ４が検出した情報に基づいて行われる。ポータブルレコーダ１００の傾きを特定することができた場合（ステップＳ２：ＹＥＳ）は、次のステップＳ３へと移行する。一方、ポータブルレコーダ１００の傾きを特定することができなかった場合（ステップＳ２：ＮＯ）は、ステップＳ４へと移行する。
【００３１】
ポータブルレコーダ１００の傾きを特定することができた場合（ステップＳ２：ＹＥＳ）、その傾きに応じて各マイク（マイクＡ７１及びマイクＢ７２）にチャンネル（Ｌｃｈ又はＲｃｈ）を対応付けて設定する（ステップＳ３）。その様子を図４に示す。
【００３２】
図４は、各マイクにチャンネルを対応付けて設定する様子について示した図である。なお、図４（ａ）は、ポータブルレコーダ１００を通常の操作向きに基づいた傾きで配置した様子について示した図であり、図４（ｂ）は、ポータブルレコーダ１００が９０°右に傾いた様子について示した図であり、図４（ｃ）は、ポータブルレコーダ１００が１８０°傾いた様子について示した図であり、図４（ｄ）はポータブルレコーダ１００が２７０°右（９０°左）に傾いた様子について示した図である。
【００３３】
図４（ａ）に示すように、ポータブルレコーダ１００は、下方向に対して左方向に当たるマイクＡ７１にＬｃｈを設定し、右方向に当たるマイクＢ７２にＲｃｈを設定している。
【００３４】
図４（ｂ）は、図４（ａ）の状態と比較して右に９０°傾いた状態である。図４（ｂ）に示すように、ポータブルレコーダ１００の下方向に対して左方向に当たるマイクはマイクＡ７１であり、右方向に当たるマイクはマイクＢ７２であるので、マイクＡ７１にＬｃｈが設定され、マイクＢ７２にＲｃｈが設定される。
【００３５】
図４（ｃ）は、図４（ｂ）の状態と比較して右に９０°（図４（ａ）の状態から１８０°）傾いた状態である。図４（ｃ）に示すように、ポータブルレコーダ１００の下方向に対して左方向に当たるマイクはマイクＢ７２であり、右方向に当たるマイクはマイクＡ７１であるので、マイクＢ７２にＬｃｈが設定され、マイクＡ７１にＲｃｈが設定される。
【００３６】
図４（ｄ）は、図４（ｃ）の状態と比較して右に９０°（図４（ａ）の状態から左に９０°）傾いた状態である。図４（ｄ）に示すように、ポータブルレコーダ１００の下方向に対して左方向に当たるマイクはマイクＢ７２であり、右方向に当たるマイクはマイクＡ７１であるので、マイクＢ７２にＬｃｈが設定され、マイクＡ７１にＲｃｈが設定される。
【００３７】
一方、図３のステップＳ２でポータブルレコーダ１００の傾きを特定することができなかった場合（ステップＳ２：ＮＯ）、各マイク（マイクＡ７１及びマイクＢ７２）にチャンネル（Ｌｃｈ又はＲｃｈ）をデフォルト設定する（ステップＳ４）。ポータブルレコーダ１００の傾きを特定できない場合には、例えばポータブルレコーダ１００が水平に配置されている状態等がある。また、デフォルト設定とは、マイクＡ７１にＬｃｈを設定し、マイクＢ７２にＲｃｈを設定することを指す。
【００３８】
ステップＳ３又はステップＳ４で各マイクに対してチャンネルが設定されると、ユーザにより録音開始の操作が行われたか否かを判定する（ステップＳ５）。具体的には、ユーザが録音キーを押下することにより生成される操作信号を制御部５が検出したか否かにより、録音開始操作の有無を判定する。ユーザにより録音開始操作が行われたと判定した場合（ステップＳ５：ＹＥＳ）は、次のステップＳ６へと移行する。一方、ユーザにより録音開始操作が行われていないと判定した場合（ステップＳ５：ＮＯ）は、特に処理を行わず、ユーザによる録音開始操作を待機する状態となる。
【００３９】
ユーザにより録音開始操作が行われる（ステップＳ５：ＹＥＳ）と、ポータブルレコーダ１００の傾きに応じて各マイクの録音レベルを調整し、音声を録音する（ステップＳ６）。例えば図４（ａ）や（ｃ）に示したように、ポータブルレコーダ１００の傾きが縦方向であると判定した場合は、左方向のマイクが音源に対して離れて配置されているため、Ｌｃｈが設定されたマイクの録音レベルを上げ、又はＲｃｈが設定されたマイクの録音レベルを下げることで、各マイクの録音感度を均一化する。一方、図４（ｂ）や（ｄ）に示したように、ポータブルレコーダ１００の傾きが横方向であると判定した場合は、右方向のマイクが音源に対して離れて配置されているため、Ｌｃｈが設定されたマイクの録音レベルを下げ、又はＲｃｈが設定されたマイクの録音レベルを下げることで、各マイクの録音感度を均一化する。
【００４０】
次に、ステップＳ６で行われた音声の録音が終了したか否かを判定する（ステップＳ７）。具体的には、ユーザが停止キーを押下することにより生成される操作信号を制御部５が検出したか否かにより、録音停止操作の有無を判定する。音声の録音が終了したと判定した場合（ステップＳ７：ＹＥＳ）は、次のステップＳ８へと移行する。一方、音声の録音が終了していないと判定した場合（ステップＳ７：ＮＯ）は、特に処理を行わず、ユーザによる録音停止操作を待機する状態となる。
【００４１】
音声の録音が終了する（ステップＳ７：ＹＥＳ）と、各マイクに対して行ったチャンネル設定や録音レベル調整を解除して、設定を初期化する（ステップＳ８）。そして、再度のユーザ操作を検出すると、また新たにステップＳ１から処理を行う。
【００４２】
このように、本実施形態に係るポータブルレコーダ１００は、無指向性であり、少なくとも筐体の一角及びその対角の２箇所に配置された２つのマイクで構成される録音部（マイクＡ７１、マイクＢ７２）と、自装置の傾きを検出する検出部（センサ４）と、検出部により検出された傾きに基づいて、２箇所のマイク各々に左右いずれかのチャンネルを設定し、かつ２箇所のマイク各々の録音レベルを均一に調整する制御部（制御部５）と、を備える。
【００４３】
制御部は、２箇所のマイクのうち、検出部により検出された傾きを参照して下方向に位置するマイクの録音レベルを上げ、又は他方のマイクの録音レベルを下げる。
【００４４】
これにより、マイクを２つ備えるだけで、装置の向きに関係なくＬ／Ｒの正しいステレオ感を得ることが可能となる。また、装置が１８０°回転した場合であっても、各マイクに設定されたチャンネルを切り替えることができ、かつ音源からの遠近に合わせて録音レベルを調整できるので、適切な録音を行うことが可能となる。
さらに、本実施形態に係るポータブルレコーダ１００によれば、縦方向及び横方向のいずれの方向でも利用可能な装置においても、Ｌ／Ｒの正しいステレオ感を得ることが可能となる。
【００４５】
以上、本発明に係る実施形態に基づいて具体的に説明したが、本発明は上記実施形態に限定されるものではなく、その要旨を逸脱しない範囲で変更可能である。
【００４６】
例えば、上記実施形態では、録音手段として、筐体の一角及びその対角にそれぞれ１つずつ計２つのマイクを配置するようにしているが、最低限この２つのマイクさえ備えていれば、その他にマイクをいくつ備えてもよい。
【００４７】
その他、ポータブルレコーダ１００を構成する各装置の細部構成及び細部動作に関しても、本発明の趣旨を逸脱することのない範囲で適宜変更可能である。
【符号の説明】
【００４８】
１００  ポータブルレコーダ
１  表示部
２  操作部
３  記憶部
４  センサ
５  制御部
６  入力端子
７１  マイクＡ
７２  マイクＢ
８  ＡＤＣ
９  ＤＡＣ
１０  出力端子
１１  Ｉ／Ｆ
【図１】
0005391999.tif 000002
【図２】
0005391999.tif 000003
【図３】
0005391999.tif 000004
【図４】
0005391999.tif 000005
【図５】
0005391999.tif 000006